(57)【特許請求の範囲】
【請求項１】
クライアントの位置に連動して広告の露出順位を管理する装置であって、
有線又は無線で接続した前記クライアントに広告をしようとする広告主に関する情報を広告主データベースに保存して管理する広告主管理モジュールと、
前記広告主から提供された広告地域、広告内容に関する情報を広告データベースに保存して管理する広告登録モジュールと、
前記広告主によりビッディングされた広告単価に基づきビッディング広告順位を決定するビッディング広告順位管理モジュールであって、前記広告単価が同一金額である場合に、あるいは、最大の広告単価をビッディングした広告主が複数である場合に、広告主のアカウント残高を比較してアカウント残高が多い順に前記ビッディング広告順位を決定する、ビッディング広告順位管理モジュールと、
前記クライアントの位置を確認するクライアント位置確認モジュールと、
前記クライアント位置確認モジュールによって確認された前記クライアントの位置を基準として前記広告地域の距離を比較して、前記広告単価とは無関係に、前記クライアントの位置を基準とした前記広告地域の距離に基づき距離広告順位を決定する距離広告順位決定モジュールと、
前記ビッディング広告順位と前記距離広告順位とを合算して、距離及びビッディングが連動する距離ビッディング連動広告順位を決定する距離ビッディング連動広告順位決定モジュールと、
を備える装置。
【請求項２】
前記距離ビッディング連動広告順位に従って、前記クライアントに広告内容を露出させる広告露出モジュール、
をさらに備える請求項１に記載の装置。
【請求項３】
前記クライアントに広告内容が露出されれば、あるいは、露出された広告内容がクリックされれば、アカウント残高データベースに保存された前記広告主のアカウント残高から広告執行費用を精算する広告費用精算モジュール、
をさらに備える請求項１に記載の装置。
【請求項４】
前記広告主管理モジュールは、前記広告執行費用を前記アカウント残高データベースに保存して管理する、請求項３に記載の装置。
【請求項５】
前記広告内容は、前記広告主のホームページＵＲＬ、会社情報または商品情報が露出されるキーワード広告、フローティング広告、音声広告、バナー、アップ広告のうちのいずれか一つである、請求項１に記載の装置。
【請求項６】
前記広告内容は、キーワードによって分類される、請求項１に記載の装置。
【請求項７】
前記クライアント位置確認モジュールは、前記クライアントの位置を、前記クライアントの通信装置の識別子等を示すデータ又は基地局情報を用いて確認するか、あるいは、通信社から提供される、請求項１に記載の装置。
【請求項８】
前記露出される広告内容は、前記クライアントのデスクトップ、アプリまたはウェブブラウザ、モバイルウェブ、モバイルアプリを介して露出される、請求項２に記載の装置。
【請求項９】
クライアントの位置に連動して広告の露出順位を管理する装置の作動方法であって、
有線又は無線で接続した前記クライアントに広告をしようとする広告主に関する情報を保存して管理するステップと、
前記広告主から提供された広告地域、広告内容に関する情報を保存して管理するステップと、
前記広告主によりビッディングされた広告単価に基づきビッディング広告順位を決定するステップであって、前記広告単価が同一金額である場合に、あるいは、最大の広告単価をビッディングした広告主が複数である場合に、広告主のアカウント残高を比較してアカウント残高が多い順に前記ビッディング広告順位を決定する、ステップと、
前記クライアントの位置を確認するステップと、
前記確認された前記クライアントの位置を基準として前記広告地域の距離を比較して、前記広告単価とは無関係に、前記クライアントの位置を基準とした前記広告地域の距離に基づき距離広告順位を決定するステップと、
前記ビッディング広告順位と前記距離広告順位とを合算して、距離及びビッディングが連動する距離ビッディング連動広告順位を決定するステップと、
を含む方法。
【請求項１０】
前記クライアントに広告内容が露出されれば、あるいは、露出された広告内容がクリックされれば、広告執行費用を精算するステップ、
をさらに含む請求項９に記載の方法。
【請求項１１】
前記ビッディング広告順位は、キーワード別に広告が分類される場合には、前記キーワード別に分類される、請求項９に記載の方法。
【発明の詳細な説明】
【技術分野】
【０００１】
本発明は、ビッディングによって広告単価順に算定されたビッディング広告順位と、接続したクライアントの位置に基づいて算定された距離広告順位とを合算して広告主に合理的な広告を行わせることのできるクライアントの位置に連動する広告の露出順位の管理装置及び管理方法に関する。
【背景技術】
【０００２】
古典的なオフラインを利用した商品販売だけではなく、インターネットを利用したオンライン商品販売が急増しつつある。
【０００３】
インターネットを利用して多くの商品を販売するためには、広告などの積極的なマーケティング方法を用いて一般使用者に自分のサイトを広く知らせる必要がある。この理由から、各種のポータルサイトに広告をするなどのマーケティング戦略が必要である。
【０００４】
一方、広告を代行するポータルサイトなどは、広告収入を増やすために広告のためのキーワードを販売し、広告主がこのキーワードに対してビッディング価格を提示すれば、最高のビッディング価格を提示した広告主の広告を高い優先順位にして、一般消費者がこのキーワードを検索語として検索を行えば、広告主のビッディング価格順位に応じて検索結果を一覧表示する。
【０００５】
このようにビッディング価格順に設定された広告は、接続されたクライアントの位置とは無関係に特定のキーワードに応じて露出されるため、広告地域が広範であるため小規模の広告主の場合にはビッディング価格を支払えないという問題がある。
【０００６】
このような問題を解消するために、従来より接続したクライアントの位置を確認して広告をする方法が提案されているが、クライアントに地域に関する広告のみが露出されてむしろ広域地域に広告しようとする広告主が広告をすることができないという問題がある。
【発明の概要】
【発明が解決しようとする課題】
【０００７】
本発明が解決しようとする課題は、ビッディングによって広告単価順に算定されたビッディング広告順位と、接続したクライアントの位置に基づいて算定された距離広告順位とを合算して広告主に合理的な広告を行わせることのできるクライアントの位置に連動する広告の露出順位の管理装置及び管理方法を提供することである。
【０００８】
本発明が解決しようとする他の課題は、ビッディングによるビッディング広告順位と、距離による距離広告順位とを組み合わせて、たとえビッディング広告順位が後順位であっても、特定の地域においては先順位でクライアントに広告を露出させることのできるクライアントの位置に連動する広告の露出順位の管理装置及び管理方法を提供することである。
【課題を解決するための手段】
【０００９】
本発明の一実施形態によると、クライアントの位置に連動して広告の露出順位を管理する装置であって、有線又は無線で接続した前記クライアントに広告をしようとする広告主に関する情報を広告主データベースに保存して管理する広告主管理モジュールと、前記広告主から提供された広告地域、広告内容に関する情報を広告データベースに保存して管理する広告登録モジュールと、前記広告主によりビッディングされた広告単価に基づきビッディング広告順位を決定するビッディング広告順位管理モジュールと、前記クライアントの位置を確認するクライアント位置確認モジュールと、前記クライアント位置確認モジュールによって確認された前記クライアントの位置を基準として前記広告地域の距離を比較して、前記広告単価とは無関係に、前記クライアントの位置を基準とした前記広告地域の距離に基づき距離広告順位を決定する距離広告順位決定モジュールと、前記ビッディング広告順位と前記距離広告順位とを合算して、距離及びビッディングが連動する距離ビッディング連動広告順位を決定する距離ビッディング連動広告順位決定モジュールと、を備える装置が提供される。
【００１０】
一実施形態によると、当該装置は、前記距離ビッディング連動広告順位に従って、前記クライアントに広告内容を露出させる広告露出モジュール、をさらに備える。
【００１１】
一実施形態によると、当該装置は、前記クライアントに広告内容が露出されれば、あるいは、露出された広告内容がクリックされれば、アカウント残高データベースに保存された前記広告主のアカウント残高から広告執行費用を精算する広告費用精算モジュール、をさらに備える。
【００１２】
一実施形態によると、前記広告主管理モジュールは、前記広告執行費用を前記アカウント残高データベースに保存して管理する。
【００１３】
一実施形態によると、前記広告内容は、前記広告主のホームページＵＲＬ、会社情報または商品情報が露出されるキーワード広告、フローティング広告、音声広告、バナー、アップ広告のうちのいずれか一つである。
【００１４】
一実施形態によると、前記広告内容は、キーワードによって分類される。
【００１５】
一実施形態によると、前記ビッディング広告順位管理モジュールは、前記広告単価が同一金額である場合に、あるいは、最大の広告単価をビッディングした広告主が複数である場合に、広告主のアカウント残高を比較してアカウント残高が多い順に前記ビッディング広告順位を決定する。
【００１６】
一実施形態によると、前記クライアント位置確認モジュールは、前記クライアントの位置を、前記クライアントの通信装置の識別子等を示すデータ又は基地局情報を用いて確認するか、あるいは、通信社から提供される。
【００１７】
一実施形態によると、前記露出される広告内容は、前記クライアントのデスクトップ、アプリまたはウェブブラウザ、モバイルウェブ、モバイルアプリを介して露出される。
【発明の効果】
【００１８】
本発明に係るクライアントの位置に連動する広告の露出順位の管理装置は、ビッディングによって広告単価順に算定されたビッディング広告順位と、接続したクライアントの位置に基づいて算定された距離広告順位とを合算して広告主に合理的な広告を行うことができるという効果がある。
【００１９】
また、ビッディングによるビッディング広告順位と、距離による距離広告順位とを組み合わせるので、たとえビッディング広告順位が後順位であっても特定の地域においては先順位でクライアントに広告を露出させることができるという効果がある。
【００２０】
さらに、広告主も距離に応じてビッディング広告順位を調整することができるので、広告効果に比べて広告費用を最適化させることができるという効果がある。
【図面の簡単な説明】
【００２１】
【図１】本発明に係るクライアントの位置に連動する広告の露出順位の管理装置の概略図である。
【図２】本発明に係る広告サーバーのブロック図である。
【図３】本発明に係るクライアントの位置に連動する広告の露出順位の管理過程のフローチャートである。
【発明を実施するための形態】
【００２２】
以下、添付図面に基づき、本発明のクライアントの位置に連動する広告の露出順位の管理装置について詳細に説明する。
【００２３】
図１に示すように、本発明の基本的は考え方は、広告主３００から提供された広告を接続されたクライアント１００に露出させる距離ビッディング装置２００は、広告主３００から提供された広告をビッディングによって広告単価順に算定されたビッディング広告順位と、有線又は無線で接続されたコンピュータ、携帯電話、スマートフォン、ＩＰＴＶ、セットトップボックス、各種の端末などであるクライアント１００の位置に基づいて算定された距離別の広告順位とを合算して、ビッディング広告順位が低い広告主も特定の地域においては広告できるようにすることである。
【００２４】
図２に示すように、本発明の距離ビッディング装置２００は、広告主管理モジュール２０２と、広告登録モジュール２０４と、ビッディング広告順位決定モジュール２０６と、クライアント位置確認モジュール２０８と、距離広告順位決定モジュール２１０と、距離ビッディング連動広告順位決定モジュール２１２と、広告露出モジュール２１４と、広告費用精算モジュール２１６と、を備える。
【００２５】
広告主管理モジュール２０２は、有線又は無線で接続したクライアントに広告をしようとする広告主３００に関する情報を登録されて広告主データベース（ＤＢ）２２０に保存して管理する。このとき、広告主ＤＢ２２０には、広告主に各種の情報を提供するための広告主に関する情報が含まれる。また、広告主管理モジュール２０２は、広告主から広告を露出するときまたは広告を露出した後にクリックされたときに精算される広告金額を提供されてアカウント残高データベース（ＤＢ）２６０に保存して管理する。広告主管理モジュール２０２は、広告主のアカウント残高に関する情報を広告主に随時通報することができる。
【００２６】
広告登録モジュール２０４は、広告主３００から広告をしようとする地域、広告内容に関する情報を提供されて広告データベース（ＤＢ）２４０に保存して管理する。このとき、広告内容は、広告主のホームページＵＲＬ、簡単な会社情報または商品情報が露出されるキーワード広告、フローティング広告、音声広告、バナー、アプリ内広告などをいずれも含み、広告内容はキーワードによって分類されることが好ましい。
【００２７】
ビッディング広告順位管理モジュール２０６は、広告主３００から提供された広告の露出順位として、ビッディングされた広告単価順であるビッディング広告順位を決定し、同一金額または最大単価をビッディングした広告主が多数である場合に、広告主のアカウント残高を比較してアカウント残高が多い順にビッディング広告順位を決定してビッディング広告順位データベース（ＤＢ）２８０に保存する。例えば、表１に示すように、露出される広告の単価に対するビッディングが高い順に、Ａマート、Ｂバーガー、Ｃチキン、Ｄカフェ、Ｅピザ、Ｆ自動車、Ｇ携帯電話、Ｈジーンズ、Ｉギョーザ、Ｊゴルフが選定される。なお、ビッディング広告順位管理モジュール２０６は、購買転換率の高い順にビッディング広告順位を決定してもよい。
【００２８】
【表１】
0005990321.tif 000002
クライアント位置確認モジュール２０８は、有線又は無線でインターネットに接続されたクライアント１００の位置を確認する。クライアント位置確認モジュール２０８は、接続されたクライアント１００の通信装置の識別子等を示すデータを確認してクライアント１００の位置を確認する。クライアント位置確認モジュール２０８は、有線又は無線通信社からクライアント１００の位置又は位置を示す位置情報を提供される。
【００２９】
距離広告順位決定モジュール２１０は、クライアント位置確認モジュール２０８によってクライアント１００の位置が算定されれば、クライアント１００の位置を基準として、広告を登録するときに提供された広告地域の距離を比較して、ビッディング金額とは無関係に、クライアント１００に対する距離別に決定した広告順位を距離広告順位に再分類して（として）距離広告順位ＤＢ３００に保存する。例えば、表２に示すように、クライアント１００の位置を基準として広告地域を１００ｍ、２００ｍ、３００ｍ、４００ｍなどに分類して距離広告順位を算定してもよい。
【００３０】
【表２】
0005990321.tif 000003
距離ビッディング連動広告順位決定モジュール２１２は、クライアント位置確認モジュール２０８によって接続されたクライアント１００の位置が確認されれば、ビッディング広告順位決定モジュール２０６により選定されたビッディング金額である広告単価により分類されたビッディング広告順位と、距離広告順位決定モジュール２１０により選定されたクライアント１００に対する距離別に分類された距離広告順位とを合算して最終的に距離及びビッディングが連動する距離ビッディング連動広告順位を決定して最終広告露出順位データベース（ＤＢ）３１０に保存する。例えば、表３に示すように、広告のビッディング広告順位及び距離広告順位が決定されれば、これらを合算して順位が高い順に距離ビッディング連動広告順位を決定してもよい。すなわち、Ａマートの場合にはビッディング広告順位が１位であるが、広告地域がクライアントから約４００ｍ離れているため距離広告順位は４位に相当し、最終的に算定された距離ビッディング連動広告順位は、１位と４位との合算点数である４点に相当して２位に相当する。
【００３１】
【表３】
0005990321.tif 000004
広告露出モジュール２１４は、距離ビッディング広告順位決定モジュール２１２により決定された距離ビッディング広告順位に従って広告内容を接続されたクライアント１００に露出させる。例えば、露出される広告情報は、クライアント１００の画面に直接的に露出されるか、アプリがディスプレイされる場合に露出されるか、あるいは、ウェブブラウザに露出される。なお、多数の広告が一緒に表示される場合には、順位が高い順に表示される。
【００３２】
広告費用精算モジュール２１６は、クライアント１００に広告が露出されれば、あるいは、露出された広告がクリックされれば、アカウント残高ＤＢ２６０に保存された広告主のアカウント残高から広告執行費用を精算する。
【００３３】
以下、図３のフローチャートに基づき、本発明に係るクライアントの位置に連動する広告の露出順位の管理方法について説明する。
【００３４】
まず、広告登録モジュール２０４は、広告主３００から広告主に関する情報を提供されて広告主ＤＢ２２０に保存し（ステップＳ３１）する。広告登録モジュール２０４は、クライアント１００に表示される広告に関する情報及び広告しようとする地域に関する情報を提供されて広告ＤＢ２４０に保存する（ステップＳ３２）。このとき、広告主から登録された広告内容は、広告主のホームページＵＲＬ、簡単な会社情報または商品情報が露出されるキーワード広告、フローティング広告、音声広告、バナーなどをいずれも含み、広告内容は、キーワードによって分類されることが好ましい。
【００３５】
また、広告を登録する広告主から広告費用に相当する金額が入金されれば、これを広告主のアカウント残高ＤＢ２６０に保存する（ステップＳ３３）。
【００３６】
一方、ビッディング広告順位決定モジュール２０６は、広告主が登録された広告に対して広告の露出順位をビッディングした広告単価順に算定して、ビッディング広告順位としてビッディング広告順位ＤＢ２８０に保存する（ステップＳ３４）。このとき、広告単価は、広告主が広告の露出順位をビッディング方式によりバッティングして選定してもよく、ビッディング単価の最大金額を設定した場合には、広告主のアカウント残高を比較してアカウント残高が多い順に優先順位を決定してもよい。なお、ビッディング広告順位は、キーワード別に広告が分類される場合には、キーワード別に広告単価が高い順にビッディング広告順位が選定される。
【００３７】
このような方法により広告のビッディング順位が決定された状態で、有線又は無線通信を用いてクライアント１００が接続すれば、クライアント位置確認モジュール２０８は、クライアント１００の位置を確認する（ステップＳ３５）。接続されたクライアント１００の位置は、クライアントのＩＰ、クライアントが接続された通信装置の位置などにより確認可能である。
【００３８】
接続されたクライアント１００の位置が確認されれば、距離広告順位決定モジュール２１０は、広告主から提供された広告の露出順位をビッディング金額とは無関係にクライアント１００の位置を基準として距離別に算定し、距離広告順位として距離広告順位ＤＢ３００に保存する（ステップＳ３６）。例えば、クライアントの位置を基準として１００ｍ、２００ｍ、３００ｍ、４００ｍなどの単位に分類する。
【００３９】
このような過程を経てクライアント１００を基準として距離別の広告順位が設定されれば、距離ビッディング連動広告順位決定モジュール２１２は、ビッディング広告順位決定モジュール２０６により選定されたビッディング金額である広告単価により分類されたビッディング広告順位と、距離広告順位決定モジュール２１０により選定されたクライアント１００に対する距離別に分類された距離広告順位とを合算して最終的に距離及びビッディングが連動する広告順位を決定して、距離ビッディング連動広告順位として、最終広告露出順位データベース（ＤＢ）３１０に保存する（ステップＳ３７）。このとき、ビッディング広告順位及び距離広告順位に応じて差等化された（割り当てられた）点数を用いて距離ビッディング広告順位を決定してもよい。
【００４０】
このような過程を経て距離ビッディング広告順位が選定されれば、広告露出モジュール２１４は、距離ビッディング連動広告順位の高い順に、接続されたクライアント１００に広告を露出させる（ステップＳ３８）。このとき、露出される広告は、テキストである場合に順位に応じて多数が一括して露出されてもよく、且つ、フローティング広告、全面広告のようにウェブページ内に一つの広告が表示される場合には順位が最も高い広告が表示される。
【００４１】
次いで、クライアント１００に広告が露出されれば、あるいは、露出された広告がクリックされれば、アカウント残高ＤＢ２６０に保存された広告主のアカウント残高から広告執行費用を精算する（ステップＳ３９）。
【００４２】
このような過程を経て、広告主は、接続されたクライアント１００の位置に基づいて広告をすることができるので、広告のビッディング単価が低い広告主も広告しようとする地域を中心として広告をすることができる。
【００４３】
以上、本発明について限定された実施形態及び図面により説明したが、本発明はこれにより何ら限定されるものではなく、本発明が属する技術分野において通常の知識を有する者によって本発明の技術思想及び後述する請求範囲と均等な範囲内において種々に修正及び変形可能であるということはいうまでもない。
【符号の説明】
【００４４】
１００  クライアント
２００  距離ビッディング装置
３００  広告主
２０２  広告主管理モジュール
２０４  広告登録モジュール
２０６  ビッディング広告順位決定モジュール
２０８  クライアント位置確認モジュール
２１０  距離広告順位決定モジュール
２１２  距離ビッディング連動広告順位決定モジュール
２１４  広告露出モジュール
２１６  広告費用精算モジュール
２２０  広告主ＤＢ
２２２  広告ＤＢ
２２４  アカウント残高ＤＢ
２２６  ビッディング広告順位ＤＢ
２２８  距離広告順位ＤＢ
２３０  最終広告露出順位ＤＢ
【図１】
0005990321.tif 000005
【図２】
0005990321.tif 000006
【図３】
0005990321.tif 000007